(57)【要約】【課題】着目エリアの拡大・縮小を迅速かつ的確に行えるようにする。【解決手段】マウスカーソル５を画面上のグラフＧ１の着目したい位置に移動させる。マウスカーソル５の位置を確定し、マウスホイール４を特定の方向（例えば、手前側）に回転させる。すると、マウスカーソル５の表示位置を不動点（中心）として、マウスホイール４の回転量に応じて、データ軸Ｙの方向への表示倍率が拡大される。マウスホイール４を上記とは逆の方向に回転させると、マウスカーソル５の表示位置を不動点（中心）として、マウスホイール４の回転量に応じて、データ軸Ｙの方向への表示倍率が縮小される。時間軸Ｘおよびデータ軸Ｙの方向ともに拡大・縮小させるようにしてもよく、時間軸Ｘおよびデータ軸Ｙの方向ともに拡大・縮小を独立して行えるようにしてもよい。【選択図】  図１０
2013149149.tif 000002
【特許請求の範囲】
【請求項１】
第１軸とこの第１軸と直交する第２軸とで示される直交平面上にグラフを表示するグラフ表示手段と、
前記グラフが表示されている画面上にポインタを表示するポインタ表示手段と、
前記画面上に表示されるポインタを移動させるポインタ操作器と、
前記グラフに対する表示倍率の変更要求に応じて、前記ポインタの表示位置を不動点として、前記グラフの表示倍率を変化させる表示倍率変更手段と
を備えることを特徴とするグラフ表示装置。
【請求項２】
請求項１に記載されたグラフ表示装置において、
前記表示倍率変更手段は、
前記グラフに対する前記第１軸の方向への表示倍率の変更要求に応じて、前記ポインタの表示位置を不動点として、前記グラフの前記第１軸の方向への表示倍率を変化させる第１の表示倍率変化手段と、前記グラフに対する前記第２軸の方向への表示倍率の変更要求に応じて、前記ポインタの表示位置を不動点として、前記グラフの前記第２軸の方向への表示倍率を変化させる第２の表示倍率変化手段との少なくとも一方を備えている
ことを特徴とするグラフ表示装置。
【請求項３】
請求項１に記載されたグラフ表示装置において、
前記ポインタ操作器は、マウスとされ、
前記マウスは、前記グラフに対する表示倍率の変更要求を入力する操作部を備えている
ことを特徴とするグラフ表示装置。
【発明の詳細な説明】
【技術分野】
【０００１】
この発明は、データをグラフ化して表示するグラフ表示装置に関するものである。
【背景技術】
【０００２】
従来より、プラント等の運転状態を監視・制御するシステムでは、プラントにおける圧力、液量、温度等の計測値を時系列で収集し、この時系列で収集した計測値（時系列データ）をグラフ化して監視・制御装置の画面上に表示するようにしている。
【０００３】
例えば、横軸を時刻を示す時間軸とし、この時間軸に直交する縦軸をデータ値を示すデータ軸とし、時間軸とデータ軸とで示される直交平面上に時系列データをプロットし、このプロットした時系列データを折れ線で結んでトレンドグラフとして画面上に表示する。
【０００４】
このようなトレンドグラフにおいて、複数のデータ点の上下関係を勘違いせずに数値確認するような場合、十分な拡大が必要であり、それらデータ周辺の特に長いタイムスパンでのトレンドを確認する場合、十分な縮小が必要である。
【０００５】
このため、グラフ表示の機能として、種々の拡大・縮小方法が提案されている。例えば、グラフ上の注目したい一部分を拡大表示する方法として、一部の矩形領域をマウスなどで指定してその領域を拡大表示させる方法（図１１参照）や、グラフ軸を指定してスタート値（最小値）とエンド値（最大値）をキーボードなどの入力装置から入力して表示領域を拡大する方法が広く利用されている。
【０００６】
また、画面上に表示レンジの変更指示領域を設け、この変更指示領域をマウスクリックすると、グラフ軸の表示幅が２倍，１／２倍などに変更される方法（例えば、特許文献１参照）や、画面上の軸の表示領域をマウスクリックするなどして操作対象のグラフを選択し、マウスのホイール回転などの操作により操作対象のグラフのみを拡大・縮小させる方法も提案されている（例えば、特許文献２参照）。特許文献２より抜粋した図１２に示される例ではグラフＤＴＡを選択して縮小させている。
【先行技術文献】
【特許文献】
【０００７】
【特許文献１】特開平６−３０９１４０号公報
【特許文献２】特開２００２−２５１６２３号公報
【発明の概要】
【発明が解決しようとする課題】
【０００８】
しかしながら、一部の矩形領域をマウスなどで指定してその領域を拡大表示させる方法では、拡大・縮小を繰り返した際に着目点のデータの位置が意図しない方向にずれやすく、元の位置に戻すような余計な操作が必要になることがある。また、データ軸はそのままで時間軸だけを広げたいといった片軸のみを拡大したい場合に操作が効率的ではない。また、１つのグラフに複数のデータが同時に表示されている場合に、着目したいデータ以外のデータが不適切な部分表示となり、状況が把握できなくなってしまうという問題もある。
【０００９】
また、軸のスタート値とエンド値を入力する方法や表示レンジの変更指示領域をマウスクリックするなどの操作によってグラフ軸の表示幅を変更する方法では、希望するエリアを表示させるために何度も入力を繰り返さなければならないことがあり、タイムスパンなどを迅速に広げたり、狭めたりしてデータを確認したい場合などに迅速な拡大・縮小が困難である。
【００１０】
また、特許文献２に示された方法は、上記の問題を解決するような利便性が高いものであるが、グラフ上で着目したある一部分を集中的に拡大したいような場合に、操作が煩雑になるという問題がある。
【００１１】
例えば、図１３（ａ）に示すように、グラフの表示エリアの中心ではない位置に着目して拡大したい場合、拡大操作を行うと、図１３（ｂ）に示すように、着目エリアがグラフの表示エリアから外れてしまい表示されなくなる。
【００１２】
このため、図１４（ａ），（ｂ）に示すように、スクロール作業を行って着目エリアをグラフの表示エリアの中心に移し、その上で拡大操作を行うという操作が必要になる（図１４（ｃ））。この場合、着目エリアがうまくグラフの表示エリアの中心に移せていなかった場合、グラフの表示エリアから外れてしまわないように、再びスクロール作業を行うことが必要になる。
【００１３】
また、この方法では、時間軸とデータ軸の両方を拡大することができず、非常に長いタイムスパンのデータがプロットされておりデータが密集している場合に、特定の一部期間に着目して拡大表示したいという要求を満たすことができない。
【００１４】
本発明は、このような課題を解決するためになされたもので、その目的とするところは、着目エリアの拡大・縮小を迅速かつ的確に行うことが可能なグラフ表示装置を提供することにある。
【課題を解決するための手段】
【００１５】
このような目的を達成するために本発明は、第１軸とこの第１軸と直交する第２軸とで示される直交平面上にグラフを表示するグラフ表示手段と、グラフが表示されている画面上にポインタを表示するポインタ表示手段と、画面上に表示されるポインタを移動させるポインタ操作器と、グラフに対する表示倍率の変更要求に応じて、ポインタの表示位置を不動点として、グラフの表示倍率を変化させる表示倍率変更手段とを備えることを特徴とする。
【００１６】
この発明によれば、ポインタを移動させて画面上のグラフの所望の点に位置させて、表示倍率の変更要求を行うと、ポインタの表示位置を不動点として、グラフの表示倍率が変化する。すなわち、ポインタの表示位置を中心として、グラフが拡大されたり、縮小されたりする。この場合、ポインタの表示位置を中心とするエリア（着目エリア）は不動なので、拡大・縮小によって表示画面から逸脱したり、表示位置が移動したりする虞がない。
【００１７】
本発明において、グラフの表示倍率の変更は、第１軸の方向のみ独立して行えるようにしたり、第２軸の方向のみ独立して行えるようにしたり、第１軸の方向および第２軸の方向ともに独立して行えるようにしたりしてもよい。この場合、表示倍率変更手段として、グラフに対する第１軸の方向への表示倍率の変更要求に応じて、ポインタの表示位置を不動点として、グラフの第１軸の方向への表示倍率を変化させる第１の表示倍率変化手段と、グラフに対する第２軸の方向への表示倍率の変更要求に応じて、ポインタの表示位置を不動点として、グラフの第２軸の方向への表示倍率を変化させる第２の表示倍率変化手段との少なくとも一方を備えるものとする。
【００１８】
また、本発明において、ポインタ操作器としては、例えばマウスを使用する。この場合、ホイール付きのマウスであれば、そのマウスホイールをグラフに対する表示倍率の変更要求を入力する操作部として用いる。すなわち、マウスホイールを特定の方向に回転させると、その回転量に応じて拡大方向の表示倍率を変化させ、マウスホイールを逆の方向に回転させると、その回転量に応じて縮小方向の表示倍率を変化させるようにする。
【００１９】
フィールド機器の特にメンテナンス（機器保全）については、必ずしも通常の監視・制御のオペレータが担当するとは限らない。そして、メンテナンスの際には、特に長いタイムスパンのトレンドに基づく判断と詳細な数値に基づく判断が混在する。したがって、データの収集条件などに精通していないオペレータに、トレンド確認と数値確認が同時に委ねられる。本発明において、ポインタ操作器としてホイール付きのマウスを用いると、データの収集や数値に精通していないオペレータでも、拡大したい位置にポインタを合わせてマウスホイールを回転させるという簡単な操作によって、直感的にグラフを操作することが可能となる。
【発明の効果】
【００２０】
本発明によれば、グラフに対する表示倍率の変更要求に応じて、ポインタの表示位置を不動点として、グラフの表示倍率を変化させるようにしたので、ポインタの表示位置を中心として、グラフが拡大されたり、縮小されたりし、拡大・縮小によって着目エリアが表示画面から逸脱したり、表示位置が移動したりする虞がなく、着目エリアの拡大・縮小を迅速かつ的確に行うことが可能となる。
【図面の簡単な説明】
【００２１】
【図１】本発明に係るグラフ表示装置を含むプロセス監視・制御システムの一実施の形態の概略を示すシステム構成図である。
【図２】このプロセス監視・制御システムにおけるサーバ装置の要部の構成を示すブロック図である。
【図３】このプロセス監視・制御システムにおける監視・制御装置のハードウェア構成の概略を示すブロック図である。
【図４】この監視・制御装置においてポインタ操作器として用いられるホイール付きのマウスを示す図である。
【図５】この監視・制御装置のディスプレイ上での時系列データの表示例を示す図である。
【図６】実施の形態１（縦軸・横軸ともに表示倍率を変化させる例）における表示倍率の変更（拡大）を説明する図である。
【図７】実施の形態１（縦軸・横軸ともに表示倍率を変化させる例）における表示倍率の変更（縮小）を説明する図である。
【図８】実施の形態２（縦軸・横軸を選択して表示倍率を変化させる例）における表示倍率の変更（データ軸の方向への拡大・縮小）を説明する図である。
【図９】実施の形態２（縦軸・横軸を選択して表示倍率を変化させる例）における表示倍率の変更（時間軸の方向への拡大・縮小）を説明する図である。
【図１０】監視・制御装置の機能ブロック図である。
【図１１】従来例として一部の矩形領域を指定して拡大表示させる例を示す図である。
【図１２】従来例として操作対象のグラフのみを拡大・縮小させる例を示す図である。
【図１３】グラフの表示エリアの中心ではない位置に着目して拡大する場合の問題点を説明する図である。
【図１４】グラフの表示エリアの中心ではない位置に着目して拡大する場合に必要とされる操作を説明する図である。
【発明を実施するための形態】
【００２２】
以下、本発明を図面に基づいて詳細に説明する。図１はこの発明に係るグラフ表示装置を含むプロセス監視・制御システムの一実施の形態の概略を示すシステム構成図である。
【００２３】
このプロセス監視・制御システムは、プラント等に設置された不図示のフィールド機器（例えば、スイッチ、バルブ、ポンプ、圧力計、流量計、温度計など）を制御すると共に、フィールド機器から例えば圧力、液量、温度等の計測値を時系列で収集するコントローラ１と、コントローラ１が時系列で収集した計測値（時系列データ）を定期的に取得するサーバ装置２と、オペレータの指示に応じてコントローラ１やサーバ装置２に指令を与えると共にプラントの監視・制御画面を編集作成する監視・制御装置３とから構成される。
【００２４】
図２はサーバ装置２の要部の構成を示すブロック図である。サーバ装置２は、コントローラ１からフィールド機器の時系列データを定期的に取得するデータ取得部２１と、取得した時系列データを記憶するデータ記憶部２２とを有する。なお、時系列データは、そのデータ値とそのデータの収集時の時刻とが対としてデータ記憶部２２に記憶される。
【００２５】
図３は監視・制御装置３のハードウェア構成の概略を示すブロック図である。同図において、３−１はＣＰＵ、３−２はＲＡＭ、３−３はＲＯＭ、３−４はハードディスクなどの記憶装置、３−５〜３−７はインターフェイス、３−８はディスプレイ、３−９はキーボード、３−１０はマウスである。マウス３−１０は本発明でいうポインタ操作器の役割を果たし、グラフに対する表示倍率の変更要求を入力する操作部としてマウスホイール４（図４参照）を備えている。
【００２６】
ＣＰＵ３−１は、インターフェイス３−５〜３−７を介して与えられる各種入力情報を得て、ＲＡＭ３−２にアクセスしながら、ＲＯＭ３−３や記憶装置３−４に格納されたプログラムに従って動作する。記憶装置３−４には、本実施の形態特有のプログラムとして、トレンドグラフ表示プログラムが格納されている。このトレンドグラフ表示プログラムは、例えばＣＤ−ＲＯＭなどの記録媒体に記録された状態で提供され、この記録媒体から読み出されて記憶装置３−４にインストールされている。
【００２７】
なお、この例では、サーバ装置２と監視・制御装置３とを別々に設けているが、これらを一体化させてもよい。また、サーバ装置２とコントローラ１とを一体化させたりするなどしてもよい。
【００２８】
〔実施の形態１：縦軸・横軸ともに表示倍率を変化させる例〕
以下、記憶装置３−４に格納されているトレンドグラフ表示プログラムに従うＣＰＵ３−１の処理動作の第１例（実施の形態１）について説明する。
【００２９】
〔トレンドグラフの表示〕
ＣＰＵ３−１は、操作者からの要求として、計測点と期間を指定してトレンドグラフの表示要求が出されると、その指定された計測点について、指定された期間の時系列データをサーバ装置２のデータ記憶部２２から取得し、この取得した時系列データをグラフ化してディスプレイ３−８上に表示する。図５にディスプレイ３−８上での時系列データの表示例を示す。
【００３０】
この場合、ＣＰＵ３−１は、横軸を時刻を示す時間軸Ｘとし、この時間軸Ｘに直交する縦軸をデータ値を示すデータ軸Ｙとし、時間軸Ｘとデータ軸Ｙとで示される直交平面上に指定された計測点の時系列データをプロットし、このプロットした時系列データを折れ線で結んでトレンドグラフＧ１としてディスプレイ３−８上に表示する。
【００３１】
〔表示倍率の変更：拡大〕
図５に示したトレンドグラフＧ１において、グラフの一部分の位置に着目して拡大したい場合、操作者は、マウス３−１０を操作して、着目したい位置にマウスカーソル５を移動させる（図６（ａ）参照）。図６（ａ）は、グラフの表示エリアＡＲ１の中心ではない位置に、マウスカーソル５を移動させた例を示している。
【００３２】
図６（ａ）に示した状態で、操作者は、マウスカーソル５の位置を確定し、マウスホイール４を特定の方向（例えば、手前側）に回転させる。すると、ＣＰＵ３−１は、マウスカーソル５の表示位置を不動点（中心）として、マウスホイール４の回転量に応じて、データ軸Ｙの方向への表示倍率を拡大（ズームイン）する（図６（ｂ）参照）。
【００３３】
この場合、マウスカーソル５の表示位置を中心とするエリア（着目エリア）は不動なので、データ軸Ｙの方向への拡大によって表示エリアＡＲ１から逸脱したり、表示位置が移動したりすることがない。これにより、操作者は、着目エリアのデータ軸Ｙの方向への拡大を迅速かつ的確に行って、着目点のデータの詳細確認や個々の数値確認操作を迅速に行うことができる。
【００３４】
〔表示倍率の変更：縮小〕
図５に示したトレンドグラフＧ１において、グラフの一部分の位置に着目して縮小したい場合、操作者は、マウス３−１０を操作して、着目したい位置にマウスカーソル５を移動させる（図７（ａ）参照）。図７（ａ）は、グラフの表示エリアＡＲ１の中心ではない位置に、マウスカーソル５を移動させた例を示している。
【００３５】
図７（ａ）に示した状態で、操作者は、マウスカーソル５の位置を確定し、マウスホイール４を上記とは逆の方向に回転させる。すると、ＣＰＵ３−１は、マウスカーソル５の表示位置を不動点（中心）として、マウスホイール４の回転量に応じて、データ軸Ｙの方向への表示倍率を縮小（ズームアウト）する（図７（ｂ）参照）。
【００３６】
この場合、マウスカーソル５の表示位置を中心とするエリア（着目エリア）は不動なので、データ軸Ｙの方向への縮小によって表示エリアＡＲ１から逸脱したり、表示位置が移動したりすることがない。これにより、操作者は、着目エリアのデータ軸Ｙの方向への縮小を迅速かつ的確に行って、着目点のデータ周辺の特に長いタイムスパンでのトレンドを迅速に確認することができる。
【００３７】
〔実施の形態２：縦軸・横軸を選択して表示倍率を変化させる例〕
次に、記憶装置３−４に格納されているトレンドグラフ表示プログラムに従うＣＰＵ３−１の処理動作の第２例（実施の形態２）について説明する。なお、「トレンドグラフの表示」については、実施の形態１と同じであるのでその説明は省略する。
【００３８】
〔表示倍率の変更：データ軸の方向への拡大・縮小〕
図５に示したトレンドグラフＧ１において、グラフの一部分の位置に着目して拡大・縮小したい場合、操作者は、マウス３−１０を操作して、着目したい位置にマウスカーソル５を移動させる（図８（ａ）参照）。図８（ａ）は、グラフの表示エリアＡＲ１の中心ではない位置に、マウスカーソル５を移動させた例を示している。
【００３９】
〔データ軸の方向への拡大〕
図８（ａ）に示した状態で、操作者は、マウスカーソル５の位置を確定し、マウスホイール４を特定の方向（例えば、手前側）に回転させる。すると、ＣＰＵ３−１は、マウスカーソル５の表示位置を不動点（中心）として、マウスホイール４の回転量に応じて、データ軸Ｙの方向への表示倍率を拡大（ズームイン）する（図８（ｂ）参照）。
【００４０】
この場合、マウスカーソル５の表示位置を中心とするエリア（着目エリア）は不動なので、データ軸Ｙの方向への拡大によって表示エリアＡＲ１から逸脱したり、表示位置が移動したりすることがない。これにより、操作者は、着目エリアのデータ軸Ｙの方向への拡大を迅速かつ的確に行って、着目点のデータの詳細確認や個々の数値確認操作を迅速に行うことができる。
【００４１】
〔データ軸の方向への縮小〕
図８（ａ）に示した状態で、操作者は、マウスカーソル５の位置を確定し、マウスホイール４を上記とは逆の方向に回転させる。すると、ＣＰＵ３−１は、マウスカーソル５の表示位置を不動点（中心）として、マウスホイール４の回転量に応じて、データ軸Ｙの方向への表示倍率を縮小（ズームアウト）する（図８（ｃ）参照）。
【００４２】
この場合、マウスカーソル５の表示位置を中心とするエリア（着目エリア）は不動なので、縮小によって表示エリアＡＲ１から逸脱したり、表示位置が移動したりすることがない。これにより、操作者は、着目エリアの縮小を迅速かつ的確に行って、着目点のデータ周辺の特にデータの振れ幅が大きいトレンドを迅速に確認することができる。
【００４３】
〔表示倍率の変更：時間軸の方向への拡大・縮小〕
図５に示したトレンドグラフＧ１において、グラフの一部分の位置に着目して拡大・縮小したい場合、操作者は、マウス３−１０を操作して、着目したい位置にマウスカーソル５を移動させる（図９（ａ）参照）。図９（ａ）は、表示倍率を拡大・縮小する方向の軸としてデータ軸を選択のうえ、グラフの表示エリアＡＲ１の中心ではない位置に、マウスカーソル５を移動させた例を示している。
【００４４】
〔時間軸の方向への拡大〕
図９（ａ）に示した状態で、操作者は、マウスカーソル５の位置を確定し、シフトキーを押したまま、マウスホイール４を特定の方向（例えば、手前側）に回転させる。すると、ＣＰＵ３−１は、マウスカーソル５の表示位置を不動点（中心）として、マウスホイール４の回転量に応じて、時間軸Ｘの方向への表示倍率を拡大（ズームイン）する（図９（ｂ）参照）。
【００４５】
この場合、マウスカーソル５の表示位置を中心とするエリア（着目エリア）は不動なので、時間軸Ｘの方向への拡大によって表示エリアＡＲ１から逸脱したり、表示位置が移動したりすることがない。これにより、操作者は、着目エリアの時間軸Ｘの方向への拡大を迅速かつ的確に行って、着目点のデータの詳細確認や個々の数値確認操作を迅速に行うことができる。
【００４６】
〔時間軸の方向への縮小〕
図８（ａ）に示した状態で、操作者は、マウスカーソル５の位置を確定し、シフトキーを押したまま、マウスホイール４を上記とは逆の方向に回転させる。すると、ＣＰＵ３−１は、マウスカーソル５の表示位置を不動点（中心）として、マウスホイール４の回転量に応じて、時間軸Ｘの方向への表示倍率を縮小（ズームアウト）する（図９（ｃ）参照）。
【００４７】
この場合、マウスカーソル５の表示位置を中心とするエリア（着目エリア）は不動なので、縮小によって表示エリアＡＲ１から逸脱したり、表示位置が移動したりすることがない。これにより、操作者は、着目エリアの縮小を迅速かつ的確に行って、着目点のデータ周辺の特に長いタイムスパンでのトレンドを迅速に確認することができる。
【００４８】
なお、上述した実施の形態１，２では、着目したい位置をマウスカーソルで特定するようにしたが、水平線と垂直線とから構成されるヘアライン線で特定するようにしたり、十字状のマークなどで特定するようにしたりしてもよい。本発明において、ポインタとは、マウスカーソルやヘアライン線、マークなどの総称として定義されるものである。
【００４９】
また、上述した実施の形態１，２では、表示されるグラフをトレンドグラフとしたが、縦軸を第１の種類のデータ値を示す軸、横軸を第２の種類のデータ値を示す軸とし、同一時刻の第１の種類のデータ値と第２の種類のデータ値とのデータ対を時系列データ対とし、表示対象期間における時系列データ対を縦軸と横軸とで示される直交平面上にプロットして表示される散布図などとしてもよい。
【００５０】
また、上述した実施の形態２では、シフトキーを押したまま、マウスホイール４を回転させると、時間軸Ｘが拡大・縮小され、シフトキーを押さずに、マウスホイール４を回転させると、データ軸Ｙが拡大・縮小されるものとしたが、シフトキーとは別のキーによって拡大・縮小対象の軸を選択するようにしたり、画面上の所定の位置やボタンをクリックすることで拡大・縮小対象の軸を選択するようにするなどしてもよい。
【００５１】
図１０に上述した監視・制御装置３の機能ブロック図を示す。監視・制御装置３は、横軸を時刻を示す時間軸Ｘとし、この時間軸Ｘと直交する縦軸をデータ値を示すデータ軸Ｙとし、時間軸Ｘとデータ軸Ｙとで示される直交平面上に時系列データをプロットし、このプロットした時系列データを折れ線で結んでディスプレイ３−８上にトレンドグラフＧ１として表示するグラフ表示処理部３１と、トレンドグラフＧ１が表示されている画面上にマウスカーソル５をポインタとして表示するポインタ表示処理部３２と、画面上に表示されているマウスカーソル５を移動させるポインタ操作器３３（マウス３−１０）と、ポインタ操作器３３からの表示倍率の変更要求に応じて、マウスカーソル５の表示位置を不動点として、トレンドグラフＧ１の表示倍率を変化させる表示倍率変更処理部３４とを備えている。
【００５２】
実施の形態１において、表示倍率変更処理部３４は、ポインタ操作器３３からの表示倍率の変更要求に応じて、マウスカーソル５の表示位置を不動点として、トレンドグラフＧ１のデータ軸Ｙの方向への表示倍率を変化させる。なお、実施の形態１において、ポインタ操作器３３からの表示倍率の変更要求に応じて、マウスカーソル５の表示位置を不動点として、トレンドグラフＧ１の時間軸Ｘおよびデータ軸Ｙの方向への表示倍率をともに変化させるようにしてもよい。
【００５３】
実施の形態２において、表示倍率変更処理部３４は、グラフ軸の選択指令を入力とし、ポインタ操作器３３からの表示倍率の変更要求に応じて、マウスカーソル５の表示位置を不動点として、トレンドグラフＧ１の選択されている軸（時間軸Ｘ／データ軸Ｙ）の方向への表示倍率を変化させる。すなわち、時間軸Ｘの選択指令を受ければ、時間軸Ｘ方向への表示倍率を変化させ、データ軸Ｙの選択指令を受ければ、データ軸Ｙの方向への表示倍率を変化させ、時間軸Ｘおよびデータ軸Ｙの選択指令を受ければ、時間軸Ｘおよびデータ軸Ｙの方向への表示倍率をともに変化させる。
【００５４】
また、実施の形態１，２において、表示倍率変更処理部３４は、操作者がポインタ操作器３３のマウスホイール４を特定の方向に回転させると、回転操作が継続する状況において、特定の時間間隔で拡大要求の指示入力に変換し、操作者がポインタ操作器３３のマウスホイール４を上記とは逆の方向に回転させると、回転操作が継続する状況において、特定の時間間隔で縮小要求の指示入力に変換する。
【００５５】
〔実施の形態の拡張〕
以上、実施の形態を参照して本発明を説明したが、本発明は上記実施の形態に限定されるものではない。本発明の構成や詳細には、本発明の技術思想の範囲内で当業者が理解しうる様々な変更をすることができる。また、各実施の形態については、矛盾しない範囲で任意に組み合わせて実施することができる。
【符号の説明】
【００５６】
１…コントローラ、２…サーバ装置、２１…データ取得部、２２…データ記憶部、３…監視・制御装置、３−１…ＣＰＵ、３−２…ＲＡＭ、３−３…ＲＯＭ、３−４…記憶装置、３−５〜３−７…インターフェイス、３−８…ディスプレイ、３−９…キーボード、３−１０…マウス、４…マウスホイール、５…マウスカーソル、ＡＲ１…表示エリア、Ｇ１…トレンドグラフ、３１…グラフ表示処理部、３２…ポインタ表示処理部、３３…ポインタ操作器、３４…表示倍率変更処理部。
【図１】
2013149149.tif 000003
【図２】
2013149149.tif 000004
【図３】
2013149149.tif 000005
【図４】
2013149149.tif 000006
【図５】
2013149149.tif 000007
【図６】
2013149149.tif 000008
【図７】
2013149149.tif 000009
【図８】
2013149149.tif 000010
【図９】
2013149149.tif 000011
【図１０】
2013149149.tif 000012
【図１１】
2013149149.tif 000013
【図１２】
2013149149.tif 000014
【図１３】
2013149149.tif 000015
【図１４】
2013149149.tif 000016